(57)【要約】【課題】金属製の排水管を用いて外観品質の多様化を達成することと、火災発生時の延焼防止性能を確保することとの両立を図ることができる排水配管構造を提供すること。【解決手段】建築物の床スラブ１に貫通穴１ａが形成され、貫通穴１ａに排水管が貫通された排水配管構造であって、排水管が、貫通穴１ａ内に配置された熱可塑性樹脂筒状の継手部材１１と、貫通穴１ａの外部に配置された金属筒状の排水立管１４と、この排水立管１４と継手部材１１とを接続する金属筒状の床上用ソケット１２および床下用ソケット１３と、継手部材１１の外周に装着され、加熱時に膨張する熱膨張性耐火材と、を備えていることを特徴とする排水配管構造とした。【選択図】図１
2008274639.tif 000002
【特許請求の範囲】
【請求項１】
建築物の床スラブに貫通穴が形成され、
この貫通穴に排水管が貫通された排水配管構造であって、
前記排水管が、前記貫通穴内に配置された熱可塑性樹脂筒状の継手部材と、前記貫通穴の外部に配置された金属筒状の排水立管と、この排水立管と前記継手部材とを接続する金属筒状のソケットと、前記継手部材の外周に装着され、加熱時に膨張する熱膨張性耐火材と、を備えていることを特徴とする排水配管構造。
【請求項２】
前記ソケットは、前記排水立管と同素材により形成されており、前記継手部材と排水管とのうち、上方の部材を差し込む外筒と、この外筒よりも小径に形成され、下方の部材に差し込む差込部と、を備えていることを特徴とする請求項１に記載の排水配管構造。
【請求項３】
前記ソケットとして、前記継手部材の上端部と前記排水立管とを接続する床上用ソケットと、前記継手部材の下端部と前記排水立管とを接続する床下用ソケットと、を備え、
前記床上用ソケットは、前記排水立管を差込可能な筒状の床上用外筒と、この床上用外筒の内側に装着された筒状鋳物製の床上用ソケット本体と、を備え、
この床上用ソケット本体は、前記床上用外筒の内側に装着された大径部と、この大径部の下端部に連続して形成されているとともに、前記継手部材に差込可能な外径に形成された前記差込部としての小径部と、を備え、
前記床下用ソケットは、前記継手部材を差込可能な筒状の床下用外筒と、この床下用外筒の内側に装着された筒状鋳物製の床下用ソケット本体と、を備え、
この床下用ソケット本体は、前記差込部として前記継手部材に差込可能な外径に形成されていることを特徴とする請求項２に記載の排水配管構造。
【請求項４】
前記床上用外筒の下端部と前記小径部との間に、両者の径差により前記継手部材を挿入可能な環状の差込用隙間が形成されていることを特徴とする請求項３に記載の排水配管構造。
【発明の詳細な説明】
【技術分野】
【０００１】
本発明は、排水配管構造に関し、特に、床スラブを貫通する貫通部分に防火構造を有するものに関する。
【背景技術】
【０００２】
従来、建物における床スラブを貫通した排水配管構造において、この貫通部分に熱膨張性耐火材を設けて、火災時に、床スラブの貫通部分の排水管路を閉塞して、火炎や煙などが床スラブを上下に伝達するのを防止できるようにしたものが知られている（例えば、特許文献１参照）。
【０００３】
この従来の排水配管構造は、床スラブを貫通して設けられた貫通穴に、樹脂製の排水管継手が貫通して設けられ、この排水管継手の上下にそれぞれ樹脂製の排水管が接続され、排水管継手の外周に、加熱時に膨張して排水管継手を押し潰すことが可能な熱膨張性耐火材が設けられた構造となっている。
したがって、火災時に、熱膨張性耐火材が加熱されると、熱膨張性耐火材が膨張して樹脂製の排水管継手が外側から圧迫して変形させ、貫通穴が閉塞されて床スラブの上下で延焼が生じるのを防止できる。
【特許文献１】特開２００７−５６５３７号公報
【発明の開示】
【発明が解決しようとする課題】
【０００４】
しかしながら、上述の従来技術では、排水管および排水管継手が樹脂製で、ユーザの外観品質の多様な要望に対応できないという問題があった。
具体的には、排水管として金属製のものを用いると、高級感を演出することができる。しかし、床スラブの貫通穴の部分に金属製のものを用いると、火災時に、熱膨張性耐火材で変形させることができず、延焼を招くおそれが生じる。
【０００５】
本発明は、上述の問題点に着目して成されたもので、金属製の排水管を用いて外観品質の多様化を達成することと、火災発生時の延焼防止性能を確保することとの両立を図ることができる排水配管構造を提供することを目的とするものである。
【課題を解決するための手段】
【０００６】
本発明は、上述の課題に着目してなされたもので、請求項１に記載の発明は、建築物の床スラブに貫通穴が形成され、この貫通穴に排水管が貫通された排水配管構造であって、前記排水管が、前記貫通穴内に配置された熱可塑性樹脂筒状の継手部材と、前記貫通穴の外部に配置された金属筒状の排水立管と、この排水立管と前記継手部材とを接続する金属筒状のソケットと、前記継手部材の外周に装着され、加熱時に膨張する熱膨張性耐火材と、を備えていることを特徴とする排水配管構造である。
【０００７】
請求項２に記載の発明は、請求項１に記載の排水配管構造において、前記ソケットは、前記排水立管と同素材により形成されており、前記継手部材と排水管とのうち、上方の部材を差し込む外筒と、この外筒よりも小径に形成され、下方の部材に差し込む差込部と、を備えていることを特徴とする排水配管構造である。
【０００８】
請求項３に記載の発明は、請求項２に記載の排水配管構造において、前記ソケットとして、前記継手部材の上端部と前記排水立管とを接続する床上用ソケットと、前記継手部材の下端部と前記排水立管とを接続する床下用ソケットと、を備え、前記床上用ソケットは、前記排水立管を差込可能な筒状の床上用外筒と、この床上用外筒の内側に装着された筒状鋳物製の床上用ソケット本体と、を備え、この床上用ソケット本体は、前記床上用外筒の内側に装着された大径部と、この大径部の下端部に連続して形成されているとともに、前記継手部材に差込可能な外径に形成された前記差込部としての小径部と、を備え、前記床下用ソケットは、前記継手部材を差込可能な筒状の床下用外筒と、この床下用外筒の内側に装着された筒状鋳物製の床下用ソケット本体と、を備え、この床下用ソケット本体は、前記差込部として前記継手部材に差込可能な外径に形成されていることを特徴とする排水配管構造である。
【０００９】
請求項４に記載の発明は、請求項３に記載の排水配管構造において、前記床上用外筒の下端部と前記小径部との間に、両者の径差により前記継手部材を挿入可能な環状の差込用隙間が形成されていることを特徴とする排水配管構造である。
【発明の効果】
【００１０】
請求項１に記載の発明では、床スラブに形成された貫通穴の内部に樹脂製の継手部材が配置され、床スラブの外部には、金属製の排水立管が配置されている。そして、排水立管と継手部材とが金属製のソケットで接続されている。
したがって、排水管において、金属製の排水立管とソケットのみを床スラブの外部に露出させて、金属製の排水管が床スラブを貫通しているように見えさせることが可能で、従来に無い、高級感を有した新規な排水管を提供して、外観品質の多様化を達成することができる。
また、火災の発生時には、床スラブの貫通穴に配置した熱可塑性樹脂製の継手の外周に装着した熱膨張性耐火材が膨張し、継手部材を圧迫して変形させることで、床スラブの上下間を遮断して、延焼を防止することができる。
以上のように、本発明の排水配管構造では、金属製の排水管を用いて外観品質の多様化を達成することと、火災発生時の延焼防止性能を確保することとの両立を図ることができる。
【００１１】
請求項２に記載の排水配管構造では、ソケットを介して継手部材と排水立管とを接続するのにあたり、継手部材と排水立管とのうち、ソケットの上方に配置される部材を、ソケットの外筒に差し込み、ソケットの下方に配置される部材には、ソケットの差込部を差し込む。
したがって、排水管の内部を上方から下方へ落下する水に対して、ソケットの接続部分の抵抗を抑えることができ、水の流れがスムーズである。
【００１２】
請求項３に記載の排水配管構造では、床上用ソケット本体の小径部を継手部材に差し込んで、床上用ソケットを継手部材に接続する。
さらに、継手部材に接続した床上用ソケットの床上用外筒に排水立管を差し込み、金属製の排水立管と床上用外筒とを床スラブの上側で連続させることができる。
【００１３】
一方、床下用ソケットは、その床下用外筒に継手部材の下端部を差し込み、この継手部材の先端を床下用ソケット本体側に突き当て、継手部材に接続する。
さらに、継手部材に接続した床下用ソケットの床下用ソケット本体を、排水立管に差し込み、金属製の排水立管と床下用外筒とを床スラブの下側で連続させることができる。
【００１４】
このような接続を行うことで、樹脂製の継手部材が露出しないとともに、水の流通抵抗の小さな接続が可能となる。
【００１５】
請求項４に記載の排水配管構造では、床上用ソケットに継手部材を接続する際に、継手部材の上端部を床上用ソケットの差込用隙間に差し込む。
したがって、床上用ソケットの下端部に接続する接続する継手部材の上端部が、床上用ソケットの外筒に覆われるため、いっそう樹脂製の継手部材が露出しないようにでき、外観品質を向上させることができる。
さらに、床上用ソケットでは、継手部材の上端部が、差込用隙間に差し込まれて、床上用ソケット本体の小径部と継手部材との間のシールと、継手部材と床上用外筒とのシールと、の二重シール構造となっているため、シール性に優れる。
【発明を実施するための最良の形態】
【００１６】
以下、本発明の実施の形態を図面に基づいて説明する。
（実施の形態１）
図２に示すように、実施の形態１の排水配管構造Ａは、複数階に積層されたバルコニーＢの床スラブ１を貫通する排水管１０に適用されている。
【００１７】
この排水管１０は、複数の床スラブ１，１，１を上下方向に貫通して設けられており、図３に示すように、継手部材１１と、この継手部材１１の上下に床上用ソケット１２および床下用ソケット１３を介して連続した排水立管１４と、継手部材１１の上部の外周の全周に装着された熱膨張性耐火材１５と、を備えている。
【００１８】
継手部材１１は、例えば、塩化ビニル、ポリエチレン、ポリブデン、ポリプロピレン、ナイロンなどの熱可塑性樹脂により円筒状に形成されており、図４に示すように、床スラブ１において上下方向に貫通して形成された貫通穴１ａ内に設置されている。なお、継手部材１１は、図において点線で示すように、上下短部が、両ソケット１２，１３とのラップ代Ｌａ，Ｌｂの分だけ、貫通穴１ａから上下に突出している。
【００１９】
熱膨張性耐火材１５は、１００℃を超える高熱で数倍以上の体積に膨張するとともに、耐火性を有した素材によりシート状に形成されたもので、例えば、ブチルゴムを主成分とする樹脂分、リン化合物、中和処理された熱膨張性黒鉛、含水無機物および金属炭酸塩を含有する樹脂組成物、または、エポキシ樹脂、リン化合物、中和処理成された熱膨張性黒鉛および無機充填材を含有する樹脂組成物などを用いることができる。
具体的には、この熱膨張性耐火材１５として、積水化学工業株式会社製の商品名「フィブロック」（反応温度２００℃以上で、体積が５〜４０倍に膨張）や、因幡電機産業株式会社製の商品名「熱膨張性耐熱シール材ＩＰ」（１２０℃から膨張を開始し、体積が４倍以上に膨張）や、ニチアス株式会社製の商品名「パーモフレックス」（８５０℃、３０分加熱後に発泡して体積が４倍以上に膨張）や、株式会社古川テクノマテアリアル製の商品名「ヒートメル」（膨張開始温度１２０℃顕著な反応温度２６０℃、体積が４〜８倍に膨張）などを使用できる。
なお、継手部材１１および熱膨張性耐火材１５の外周と貫通穴１ａとの間は、モルタル（例えば、セメント：砂＝１：３）２０で埋められている。
【００２０】
排水立管１４は、金属製の円筒管であり、本実施の形態では、アルミニウム合金を用いているが、ステンレスなど他の金属を用いてもよい。
【００２１】
床上用ソケット１２は、図１（ａ）に示すように、床上用外筒１２１と床上用ソケット本体１２３とを備えている。この床上用外筒１２１と床上用ソケット本体１２３とは、シリコーン系接着剤１２２にて接着されている。
床上用外筒１２１は、排水立管１４と同じ金属素材（本実施の形態の場合、アルミニウム合金）による押出成形により円筒状に形成されており、排水立管１４の外周に嵌合可能に、排水立管１４の外径よりも僅かに大径の内径に形成されているとともに、継手部材１１の外周に嵌合可能に、継手部材１１の外径よりも僅かに大径の内径に形成されている。
【００２２】
床上用ソケット本体１２３は、排水立管１４と同じ金属素材（本実施の形態の場合、アルミニウム合金）による鋳物製品であり、円筒状で同軸に一体に形成された大径部１２３ａと小径部１２３ｂとを備えている。
【００２３】
大径部１２３ａは、シリコーン系接着剤１２２を充填する複数のシール溝１２３ｃが全周に亘って環状に形成されている。
小径部１２３ｂは、継手部材１１の内周に嵌合可能に、継手部材１１の内径よりも僅かに小径の外径に形成されている。
さらに、床上用外筒１２１の下端部には、床上用ソケット本体１２３の小径部１２３ｂと内径方向に重ねられ、両者１２１，１２３ｂの間に継手部材１１を差し込むための差込用隙間１２４が、径差に基づき形成されている。なお、この差込用隙間１２４を形成する床上用外筒１２１の寸法が、前述の継手部材１１のラップ代Ｌａに一致する。
【００２４】
床下用ソケット１３は、図１（ｂ）に示すように、床下用外筒１３１と床下用ソケット本体１３３とを備えている。この床下用外筒１３１と床下用ソケット本体１３３とは、シリコーン系接着剤１３２にて接着されている。
【００２５】
床下用外筒１３１は、排水立管１４と同じ金属素材（本実施の形態の場合、アルミニウム合金）による押出成形により円筒状に形成されており、排水立管１４の外周に嵌合可能に、排水立管１４の外径よりも僅かに大径の内径に形成されている。
床下用ソケット本体１３３は、排水立管１４と同じ金属素材（本実施の形態の場合、アルミニウム合金）による鋳物製品であり、排水立管１４の内周に嵌合可能に排水立管１４の内径よりも僅かに小径の外径の円筒状に形成されている。
【００２６】
さらに、床下用ソケット本体１３３の外周には、シリコーン系接着剤１３２を充填する複数のシール溝１３３ａが全周に亘って環状に形成されている。
なお、床下用外筒１３１において、床下用ソケット本体１３３の上端よりも上方の寸法が、前述の継手部材１１のラップ代Ｌｂに一致する。
【００２７】
次に、実施の形態１の排水配管構造Ａの施工手順について説明する。
まず、あらかじめ貫通穴１ａの形成作業と、継手部材１１へのソケット接続作業を行っておく。
すなわち、施工現場において、床スラブ１に貫通穴１ａを形成しておく。
【００２８】
また、施工現場の作業では、まず、樹脂製の継手部材１１を、床スラブ１の厚み、すなわち、貫通穴１ａの穴長に合わせて切断する。すなわち、床スラブ１の上側に、床上用ソケット１２のみを露出させるとともに、床スラブ１の下側に、床下用ソケット１３のみを露出させることのできる長さに切断して、最適の長さとする。
【００２９】
そして、継手部材１１の上下両端部に、それぞれ、床上用ソケット１２と床下用ソケット１３とを接続する。
この場合、継手部材１１の上端を、図１（ａ）に示す床上用ソケット１２の差込用隙間１２４に挿入させ、大径部１２３ａの下端に突き当てる。
また、継手部材１１の下端は、図１（ｂ）に示す床下用ソケット１３の床下用外筒１３１の内周に挿入し、床下用ソケット本体１３３の上端に突き当てる。
【００３０】
次に、継手部材１１の上端部と床上用ソケット１２との境界線に、熱膨張性耐火材１５の上端部を一致させて、継手部材１１の外周に熱膨張性耐火材１５を装着する。
この場合、熱膨張性耐火材１５の巻き付け開始端と終端との間に隙間が生じないように巻き付けるもので、開始端と終端とが重なってもよい。
【００３１】
次に、上述のように熱膨張性耐火材１５を装着し、かつ、上下に両ソケット１２，１３が接続された状態の継手部材１１を貫通穴１ａに差し込んで、床スラブ１に対する位置決めを行う。この場合、継手部材１１が床スラブ１から上下に露出しないようにするとともに、熱膨張性耐火材１５を、あらかじめ設定された上下寸法（本実施の形態では全長）だけ貫通穴１ａ内に配置させる。
次に、順次、両ソケット１２，１３に排水立管１４を接続する。
【００３２】
次に、貫通穴１ａにおいて、継手部材１１、熱膨張性耐火材１５、両ソケット１２，１３との間を、モルタル２０で埋め戻す。
以上の手順により、図４に示す状態となる。
【００３３】
このように構成された実施の形態１の排水配管構造Ａにあっては、図４に示すように、金属製の排水立管１４および両ソケット１２，１３のみが露出し、樹脂製の継手部材１１が床スラブ１内に隠されるため、図２に示すように、あたかも、金属製の１本の排水管１０が床スラブ１を貫通して設けられているように見え、高級感を演出することができる。
【００３４】
一方、火災の際には、熱膨張性耐火材１５が加熱されると、この熱膨張性耐火材１５が膨張し、熱可塑性樹脂で形成された継手部材１１を圧迫して変形させることで貫通穴１ａを閉塞し、床スラブ１の上下間を遮断し、延焼を防止することができる。
【００３５】
以上のように、実施の形態１の排水配管構造Ａにあっては、金属性の排水立管１４を用いて外観品質の多様化を達成することと、火災発生時の延焼防止性能を確保することとの両立を図ることができる。
【００３６】
しかも、排水立管１４は、同じ素材で形成された床上用ソケット１２の床上用外筒１２１に差し込まれ、かつ、床下用ソケット１３の床下用ソケット本体１３３が差し込まれているため、熱膨張率が等しくシール性に優れる。
【００３７】
また、床上用ソケット１２では、継手部材１１の上端部が、差込用隙間１２４に差し込まれて、床上用ソケット本体１２３の小径部１２３ｂと継手部材１１との間のシールと、継手部材１１と床上用外筒１２１とのシールと、の二重シール構造となっているため、シール性に優れる。しかも、継手部材１１の上端部が床上用外筒１２４に差し込まれるため、差し込まない場合よりも、継手部材１１の上端部が貫通穴１ａの外部に露出しないようにすることを、より確実に実行可能であり、外観品質に優れる。
【００３８】
以上、図面を参照して、本発明の実施の形態１について詳述してきたが、具体的な構成は、この実施の形態１に限定されるものではなく、本発明の要旨を逸脱しない程度の設計的変更は、本発明に含まれる。
【００３９】
すなわち、床上用ソケット１２および床下用ソケット１３において、床上用外筒１２１と床上用ソケット本体１２３、および、床下用外筒１３１と床下用ソケット本体１３３とは、同じ素材により形成したものを示したが、両者は、金属製であれば、異なる素材のものを用いてもよい。
【図面の簡単な説明】
【００４０】
【図１】本発明の実施の形態１の排水配管構造Ａの主要部を示す拡大断面図であり、（ａ）は、床上用ソケット１２を介した継手部材１１の上端部と排水立管１４との接続部分を示しており、（ｂ）は、床下用ソケット１３を介した継手部材１１の下端部と排水立管１４との接続部分を示している。
【図２】本発明の実施の形態１の排水配管構造Ａの全体を示す断面図である。
【図３】本発明の実施の形態１の排水配管構造Ａの主要部を示す分解斜視図である。
【図４】本発明の実施の形態１の排水配管構造Ａの主要部を示す断面図である。
【符号の説明】
【００４１】
１     床スラブ
１ａ   貫通穴
１０   排水管
１１   継手部材
１２   床上用ソケット
１３   床下用ソケット
１４   排水立管
１５   熱膨張性耐火材
１２１ 床上用外筒
１２３ 床上用ソケット本体
１２３ａ大径部
１２３ｂ小径部
１２４ 差込用隙間
１３１ 床下用外筒
１３３ 床下用ソケット本体
【図１】
2008274639.tif 000003
【図２】
2008274639.tif 000004
【図３】
2008274639.tif 000005
【図４】
2008274639.tif 000006